(57)【要約】      （修正有）【課題】ボルト締めや、寸法測定の必要はなく、掲示板を支柱枠体に掛けるだけで強固に一体化し、前後、左右、上下、に動かない掲示装置を提供する。【解決手段】掲示板１０の裏面に金属製異型溝型材１、２、３が掲示板の補強桟として固定されており、該フレーム内部にフック状の支持片１１を上向きに隙間なく嵌め入れ、あるいは掲示板本体取付け直後には上から押え込むように該支持片４ａが下向きに隙間なく嵌込む構造とした。【選択図】図６
2012177825.tif 000002
【特許請求の範囲】
【請求項１】
ポスターを掲示するための金属製の基盤に補強フレームを固定し、該フレームは縦方向に、あるいは横方向に複数設けて形成した掲示板裏面の略長方形枠と、該フレームの部材は金属製異型溝型材であり、該フレームの断面形状は凹状の開口部から奥に向かってテーパー状に次第に狭くなって台形状の底部を形成し、該底部には凸状の小さな突起がテーパー状に介在しており、掲示板裏面の補強フレーム横方向に配置された金属製異型溝型材断面の開口部は、上から１段目の開口部は下向きとなり、２段目は上向きとなり、３段目は再び下向きに固定されており、さらに該フレーム２段目、の上向きの開口部内には、ゴム質の支持片が埋め込まれていて、前記に示す該掲示板裏面に固定された補強フレームの断面形状ならびに該フレームの取付け方法と、金属製異型溝型材開口部内部に嵌めこまれる金属製の支持片には、金属製フック状の支持片があり、また、該フレーム外側、背中の部分を受けるように金属製水平状の支持片があって、該支持片は支柱枠体の、支柱、に定尺固定され、あるいは逆フック状の形で嵌めこまれる該支持片は、支柱枠体横方向を支持する巾決め棒に定尺固定されることを示した該支持片の取付け方法と、支柱枠体の支柱、に取付けされた支持片に掲示板本体を嵌めこむだけで、該掲示板と該支柱枠体は互いに隙間なく密着合体して、互いに連結することを特徴とした選挙用掲示板の装置。
【発明の詳細な説明】
【技術分野】
【０００１】
本発明は、公営ポスター掲示場に使用する選挙用掲示板の取付け装置に関するものである。
【背景技術】
【０００２】
選挙用掲示板に支柱に取り付ける時、現場では掲示板を地面に伏せて掲示板裏面に支柱をボルトなどで締め付け固定させていた、  しかしながら現場が狭いときは組立てが困難であり、風雨のときは掲示板が汚れる問題があった。
また、掲示板裏面の構造からも支柱の取付け手段は、ひ弱な穴あき軽鉄しか使用できず
倒壊の恐れがあり、しかも、組立てにも時間がかかって均一な品質の確保が不足していた。
【０００３】
加えて、特許文献１には、アルミ基板裏面に第一の凹状の補強桟が固定されており、当
該溝型鋼を覆い被せるように第二の溝型鋼があって、さらに第一溝型鋼内にはボルトの頭が介在し、第二の溝型鋼を貫通して突き出した該ボルトをナットで締めし、支柱の左右の動きを固定するよう提案されている。
ただし、実際には第２の溝型鋼を使用せず第１溝型鋼に直接該支柱を取付ける場合もある。
【先行技術文献】
【特許文献】
【０００４】
【特許文献１】登実-３０９０５９９
【発明の概要】
【発明が解決しようとする課題】
【０００５】
しかしながら、上記特許文献１は、従来の釘やノコギリの使用からボルト締めにかえ変えただけで、作業工程は何ら変わらない、掲示板に支柱を取付けるときは寸法を測定しなければならず、さらに杭間隔も新たに寸法測定して杭を打ちこむ必要があった。
その後、掲示板と支柱が仮止めされた躯体を杭まで移動し、打ち込まれた杭の傾きを直し、該仮止めされた躯体を杭に添わせてボルトで繋ぎ、その後、支柱などに仮締めされたボルト等を本締めして、該部分の作業は完了する。
本発明は、上記のような課題に鑑み、その課題を解決すべく創案されたものであって、その目的とするところは、ボルト締めや、寸法測定の必要はなく、掲示板を支柱枠体に掛けるだけで強固に一体化し、前後、左右、上下、に動かない掲示装置を提供するものである。
【課題を解決するための手段】
【０００６】
本発明は、予め、掲示板裏面に金属製異型溝型材が掲示板の補強桟として固定されており、該フレーム内部にフック状の支持片を上向きに隙間なくに嵌め入れ、あるいは掲示板本体取付け直後には上から押え込むように該支持片が下向きに隙間なく嵌めこまれ、さらに該フレーム内部にゴム質の支持片を埋め込むことにより下向きに嵌め入れられたフック状支持片の動きをガードして掲示板全ての動きを制し、上記課題を解決したものである。
【発明の効果】
【０００７】
掲示板裏面の補強桟の金属製異型溝型材１は、該裏面のフレーム横方向１段目と３段目に位置し、該フレームは下向きでフレーム開口部から奥に向かってテーパー状に形成することにより、該内部に挿入する金属製フック状の支持片が容易に嵌め入れられ、しかも掲示板の取付け作業を容易にする効果がある。
【０００８】
しかも、掲示板裏面の補強桟をつかさどる金属製異型溝型材１は、該フレームの横方向１段目と３段目に位置し、該フレームは下向きでフレーム内部断面の開口部奥にはテーパー状に凸状の突起が介在し、該突起を挟み込むように金属製フック状の支持片が嵌め入れられ、かつ、該支持片は先端が凹状のテーパー状の溝となっていて、該支持片を隙間なく嵌めこむことで強制的に密着し、掲示板が風圧によってガタツキが生じるリスクを、さらに防止する効果がある。
【０００９】
掲示板裏面の補強桟の金属製異型溝型材２は、該裏面のフレーム横方向２段目に位置し、該フレームは上向きで、前記とは逆方向に上から下に向いた直角形の金属製フック状の支持片が該フレーム内に嵌めこまれ、掲示板が風圧によって上下に動くリスクを完全に阻止し、さらに支柱枠体と一体化して強度を補完する効果がある。
【００１０】
その上、掲示板裏面の金属製異型溝型材２の該フレーム横方向２段目内部には、少なくともゴム質の支持片が介在し、前記、フック状支持片を挟み込むように埋め込まれているため、掲示板の左右の動きを阻止する効果がある。
【図面の簡単な説明】
【００１１】
【図１】掲示板、裏面、の全体図である。
【図２】掲示板、表面、から見た支柱と巾決め棒に取付けした支持片の正面図。
【図３】図１Ａ−Ａに示す支柱に取付けした支持片と異型溝型材１段目及び３段目の合体図。
【図４】図２Ａ−Ａに示す巾決め棒に取付けした支持片と異型溝型材の合体断面図。
【図５】図１、２に示す異型溝型材開口部内に埋め込むゴム質支持片配置図。
【図６】図２Ａ−Ａに示す１段目から３段目の支柱取付けと巾決め棒に取付けの状態を示した支持片及びい異型溝型材の合体断面図。
【図７】支柱に取付けした支持片と巾決め棒に取付けした支持片の側面図。
【図８】図２Ａ−Ａに示す巾決め棒に取付けした支持片の上面図。
【発明を実施するための形態】
【００１２】
本発明の掲示板の装置は、掲示板裏面に固定された金属製異型溝型材１は横方向１段目と３段目は下向きに、２段目金属製異型溝型材２には上向きに、取付けられ構成されている。
【００１３】
金属製異型溝型材は、断面１と、断面２により入口から奥に向かって狭くなるよう傾斜し、さらに奥部には凸状の突起がテーパー状に介在している。
例えば、金属製異型溝型材断面は突起がなくてもよい、内部断面が階段状のものや、入口から奥に向かって断面が一辺だけの傾斜角であってもよい。
【００１４】
掲示板裏面横方向に配置された１段目と３段目の金属製異型溝型材１は下向きで、該溝型材の２段目は上向きとなっている。
【００１５】
支柱枠体、支柱に取付けられた１段目と３段目の金属製フック状支持片１１は上向きで、該２段目は水平状の支持片で、支柱枠体、横方向のクサビ状の巾決め棒に取付けられたフック状の支持片は逆直角形下向きに取付けられている。
【００１６】
２段目金属製異型溝型材内部に密着固定された四角形の支持片１３は材質がゴムなどが考えられるが、コルクや自在に変形できる粘土質でもよい。
【００１７】
金属製フック状の支持片は先端が凹状でテーパー状に開口部から奥に向け狭くなって形成されている。
【００１８】
金属製フック状の支持片は金属製異型溝型材と隙間なく確実に密着固定できるようになっている。
【００１９】
次に、上記発明を実施するための、最良の掲示板取付け方法について以下説明する。
図６に示す、掲示板を支柱枠体に取付けるとき、掲示板裏面に固定された金属製異型溝型材内部に金属製フック状の支持片を挿入して嵌め入れた状態が、該相互間に１ミリのアソビがあっても許されない、アルミ金属は風圧で前後に揺れて、音鳴りするリスクがあるからである。
【００２０】
図４に示す、２段目金属製異型溝型材に嵌めこまれた、金属製が逆フック状支持片は掲示板全体を強制的に押え込み、該２段目溝型材内部に埋め込まれたゴム質支持片１３が該フック状の支持片の左右の動きを制す。
【符号の説明】
【００２１】
１  １段目下向き金属製異型溝型材
２  ２段目上向き金属製異型溝型材
３  ３段目下向き金属製異型溝型材
４  ２段目を支持する巾決め棒
４a   逆直角形の支持片
５  ２段目クサビボックス
６  支柱
７  支柱枠体用巾決め棒
８  支柱枠体用クサビボックス
９  ジャッキベース
１０  掲示板
１１  支柱取付け金属製支持片
１２  支柱取付け２段目金属製水平支持片
１３  ゴム質支持片
【図１】
2012177825.tif 000003
【図２】
2012177825.tif 000004
【図３】
2012177825.tif 000005
【図４】
2012177825.tif 000006
【図５】
2012177825.tif 000007
【図６】
2012177825.tif 000008
【図７】
2012177825.tif 000009
【図８】
2012177825.tif 000010